(57)【特許請求の範囲】
【請求項１】
原稿のうちの第１部分が載置される載置面が形成される本体部と、
前記載置面に対向する透明部材と、
前記第１部分が前記載置面に載置されているときに、前記原稿のうちの前記第１部分と異なる第２部分を保持する原稿保持部と、
読取装置を保持する読取装置保持部とを備え、
前記読取装置は、前記第１部分が前記載置面に載置されているときに、前記透明部材を透過する光を利用して、前記第１部分のうちの前記透明部材に対向する読取面の画像を撮像し、
前記載置面のうちの前記原稿保持部に近い側の領域は、前記原稿保持部に近付くにつれ前記透明部材から遠ざかるように形成される
画像読取補助装置。
【請求項２】
前記原稿は、
複数のシートと、
前記複数のシートを綴じる綴じ部とを有し、
前記第１部分は、前記複数のシートのうちの第１シートを含み、
前記第２部分は、
前記複数のシートのうちの前記第１シートと異なる第２シートと、
前記綴じ部とを含む
請求項１に記載の画像読取補助装置。
【請求項３】
前記原稿保持部は、前記載置面が沿う平面に傾斜する他の平面に前記第２部分が沿うように、前記第２部分を保持する
請求項１に記載の画像読取補助装置。
【請求項４】
前記原稿保持部は、弾性変形することにより前記第２部分を保持する
請求項１に記載の画像読取補助装置。
【請求項５】
前記透明部材は、前記透明部材の周囲のうちの前記原稿保持部に対向する部分と異なる部分が前記本体部に保持されることにより、前記本体部に固定される
請求項１に記載の画像読取補助装置。
【請求項６】
前記第１部分を照明する第１光源と、
前記第１部分を照明する第２光源とをさらに備え、
前記第１光源が配置される第１位置は、前記第２光源が配置される第２位置と異なる
請求項１に記載の画像読取補助装置。
【請求項７】
前記第１光源は、蛍光物質を励起させる励起光を前記第１部分に放射することにより前記第１部分を照明し、
前記第２光源は、前記蛍光物質を励起させる他の励起光を前記第１部分に放射することにより前記第１部分を照明する
請求項６に記載の画像読取補助装置。
【請求項８】
前記透明部材は、ガラスから形成されている
請求項７に記載の画像読取補助装置。
【請求項９】
前記読取装置から発信された信号を受信する通信部と、
前記信号に基づいて導出される第１タイミングで前記第１部分が照明されるように前記第１光源を制御し、前記信号に基づいて導出される第２タイミングで前記第１部分が照明されるように前記第２光源を制御する制御部
とをさらに備える請求項６に記載の画像読取補助装置。
【請求項１０】
前記原稿保持部に形成される曲面を介して前記載置面になだらかに接続される案内面が形成される案内部
をさらに備える請求項３に記載の画像読取補助装置。
【請求項１１】
前記案内部の幅方向の幅は、前記載置面の前記幅方向の幅より小さく、
前記幅方向は、前記平面に平行であり、かつ、前記他の平面に平行である
請求項１０に記載の画像読取補助装置。
【請求項１２】
原稿のうちの第１部分が載置される載置面が形成される本体部と、
前記載置面に対向する透明部材と、
前記第１部分が前記載置面に載置されているときに、前記原稿のうちの前記第１部分と異なる第２部分を保持する原稿保持部と、
前記第１部分が前記載置面に載置されているときに、前記透明部材を透過する光を利用して、前記第１部分のうちの前記透明部材に対向する読取面の画像を撮像する読取部とを備え、
前記載置面のうちの前記原稿保持部に近い側の領域は、前記原稿保持部に近付くにつれ前記透明部材から遠ざかるように形成される
画像読取装置。
【発明の詳細な説明】
【技術分野】
【０００１】
本開示の技術は、画像読取補助装置および画像読取装置に関する。
【背景技術】
【０００２】
ホテルや小売店で、海外からの渡航者に対して、パスポートの読み取りが広く行われている。パスポートに例示される冊子を専用に読み取る画像読取装置が知られている（特許文献１、２参照）。
【先行技術文献】
【特許文献】
【０００３】
【特許文献１】特開２００９−１３４２８６号公報
【特許文献２】米国特許出願公開第２００５／０２３７５８４号明細書
【発明の概要】
【発明が解決しようとする課題】
【０００４】
しかしながら、このような画像読取装置は、冊子のうちの撮像されるページを平坦に矯正する必要があり、ページを平坦に矯正する作業に手間がかかったり、ページを平坦に矯正する部材のために装置規模が大きくなったりするという問題がある。【０００５】
開示の技術は、かかる点に鑑みてなされたものであって、原稿の読取面を平坦に矯正する作業を容易にする画像読取補助装置および画像読取装置を提供することを目的とする。
【課題を解決するための手段】
【０００６】
開示の態様では、画像読取補助装置は、原稿のうちの第１部分が載置される載置面が形成される本体部と、前記載置面に対向する透明部材と、原稿保持部と、読取装置を保持する読取装置保持部とを備えている。原稿保持部は、前記第１部分が前記載置面に載置されているときに、前記原稿のうちの前記第１部分と異なる第２部分を保持する。前記読取装置は、前記第１部分が前記載置面に載置されているときに、前記透明部材を透過する光を利用して、前記第１部分のうちの前記透明部材に対向する読取面の画像を撮像する。前記載置面のうちの前記原稿保持部に近い側の領域は、前記原稿保持部に近付くにつれ前記透明部材から遠ざかるように形成されている。
【発明の効果】
【０００７】
開示の画像読取補助装置および画像読取装置は、原稿の読取面を平坦に矯正する作業を容易にすることができる。
【図面の簡単な説明】
【０００８】
【図１】図１は、実施例１の画像読取補助装置を備える画像読取装置を示す斜視図である。
【図２】図２は、読取補助装置と画像読取補助装置とを示す正面図である。
【図３】図３は、読取補助装置と画像読取補助装置とを示す側面図である。
【図４】図４は、読取補助装置と画像読取補助装置とを示す断面図であり、図３のＡ−Ａ線断面図である。
【図５】図５は、読取補助装置と画像読取補助装置とを示す分解斜視図である。
【図６】図６は、実施例１の画像読取補助装置を示す斜視図である。
【図７】図７は、実施例１の画像読取補助装置を示す平面図である。
【図８】図８は、実施例１の画像読取補助装置を示す断面図であり、図７のＢ−Ｂ線断面図である。
【図９】図９は、実施例１の画像読取補助装置を示す断面図であり、図７のＣ−Ｃ線断面図である。
【図１０】図１０は、原稿保持部と案内部とを示す断面図である。
【図１１】図１１は、冊子を保持しているときの原稿保持部を示す斜視図である。
【図１２】図１２は、冊子を保持しているときの原稿保持部を示す側面図である。
【図１３】図１３は、実施例１の画像読取補助装置を備える画像読取装置を示すブロック図である。
【図１４】図１４は、実施例１の画像読取補助装置が実行する動作を示すフローチャートである。
【図１５】図１５は、実施例１の画像読取補助装置を備える画像読取装置が実行する動作を示すフローチャートである。
【図１６】図１６は、実施例２の画像読取補助装置を備える画像読取装置が実行する動作を示すフローチャートである。
【図１７】図１７は、実施例３の画像読取補助装置を示す断面図である。
【図１８】図１８は、実施例４の画像読取補助装置を示す断面図である。
【図１９】図１９は、実施例５の画像読取補助装置を示す断面図である。
【図２０】図２０は、実施例６の画像読取補助装置を示す断面図である。
【図２１】図２１は、原稿保持部が第２位置に配置されているときの実施例６の画像読取補助装置を示す断面図である。
【発明を実施するための形態】
【０００９】
以下に、本願が開示する実施形態にかかる画像読取補助装置について、図面を参照して説明される。なお、以下の記載により本開示の技術が限定されるものではない。また、以下の記載においては、同一の構成要素に同一の符号を付与し、重複する説明を省略する。
【実施例１】
【００１０】
［画像読取装置］
図１は、実施例１の画像読取補助装置３を備える画像読取装置を示す斜視図である。画像読取装置１は、図１に示されているように、読取装置２と画像読取補助装置３とを備えている。読取装置２は、外部装置５と読取補助装置６とを備えている。外部装置５は、概ね板状に形成され、携帯端末から形成されている。外部装置５は、撮像部７と発光部８とタッチパネル部１０とを備え、図示されていない外部装置側制御部を備えている。タッチパネル部１０は、外部装置５のうちの一方の面に形成されている。タッチパネル部１０は、ユーザに操作されることにより生成される情報を外部装置側制御部に出力し、外部装置側制御部により生成された画面を表示する。【００１１】
撮像部７は、外部装置５のうちのタッチパネル部１０が形成される面の裏側である他方の面に形成されている。撮像部７は、外部装置側制御部に制御されることにより、画像を撮像する。発光部８は、外部装置５のうちの撮像部７が形成される面に形成され、撮像部７と並ぶように配置されている。発光部８は、外部装置側制御部に制御されることにより、点灯したり消灯したりする。発光部８は、点灯することにより、撮像部７の視野を照明する。【００１２】
外部装置側制御部は、いわゆるコンピュータであり、図示されていないＣＰＵ（Ｃｅｎｔｒａｌ  Ｐｒｏｃｅｓｓｉｎｇ  Ｕｎｉｔ）と記憶装置と通信部とを備えている。ＣＰＵは、外部装置側制御部にインストールされるコンピュータプログラムを実行することにより、記憶装置と通信部とを制御する。ＣＰＵは、そのコンピュータプログラムを実行することにより、さらに、撮像部７と発光部８とタッチパネル部１０とを制御する。すなわち、外部装置側制御部にインストールされるコンピュータプログラムは、外部装置５が読取補助装置６と画像読取補助装置３とを制御するときに利用される所定のアプリケーションソフトを含んでいる。記憶装置は、そのコンピュータプログラムを記録し、ＣＰＵにより利用される情報を記録する。通信部は、外部装置５と別個の外部機器と無線通信を介して通信することにより、外部機器から受信された情報をＣＰＵに出力し、ＣＰＵにより作成される情報をその外部機器に伝達する。無線通信としては、携帯電話回線網、Ｂｌｕｅｔｏｏｔｈ（登録商標）、ＮＦＣ（Ｎｅａｒ  Ｆｉｅｌｄ  Ｃｏｍｍｕｎｉｃａｔｉｏｎ）や赤外線通信等が例示される。【００１３】
外部装置側制御部は、所定のアプリケーションソフトを実行することにより、「右照明点灯指示」または「左照明点灯指示」を示す「照明点灯指示」の光信号が発光部８から発信されるように、発光部８を制御する。外部装置側制御部は、さらに、「右照明点灯指示」または「左照明点灯指示」を示す「照明点灯指示」の無線通信信号が発信されるように、通信部を制御する。外部装置側制御部は、さらに、撮像部７の視野の画像が撮像されるように、撮像部７を制御する。外部装置側制御部は、さらに、撮像部７により撮像された画像が記憶装置に記録されるように、記憶装置を制御する。外部装置側制御部は、さらに、撮像部７により撮像された画像が表示されるように、タッチパネル部１０を制御する。外部装置側制御部は、さらに、撮像部７により撮像された２つの画像を画像処理し、２つの画像が画像合成された合成画像を作成する。【００１４】
読取補助装置６は、概ね三角柱状に形成され、第１傾斜カバー部１１と第２傾斜カバー部１２と第１連結カバー部１４と第２連結カバー部１５とを備えている。第１傾斜カバー部１１は、概ね長方形状の板状に形成され、三角柱の１つの側面に対応する位置に配置されている。第２傾斜カバー部１２は、概ね長方形状の板状に形成され、三角柱の他の１つの側面に対応する位置に配置されている。第２傾斜カバー部１２は、第１傾斜カバー部１１の縁に接する縁が第１傾斜カバー部１１に連結され、第１傾斜カバー部１１に対して回動自在に第１傾斜カバー部１１に支持されている。【００１５】
第１連結カバー部１４は、概ね二等辺三角形状の板状に形成され、三角柱の１つの底面に対応する位置に配置されている。第１連結カバー部１４は、二等辺三角形の２つの等辺の一方に対応する縁が第１傾斜カバー部１１に連結され、第１傾斜カバー部１１に対して回動自在に第１傾斜カバー部１１に支持されている。第１連結カバー部１４は、二等辺三角形の２つの等辺の他方に対応する縁が第２傾斜カバー部１２に連結され、第２傾斜カバー部１２に対して回動自在に第２傾斜カバー部１２に支持されている。【００１６】
第２連結カバー部１５は、概ね二等辺三角形状の板状に形成され、三角柱の他の底面に対応する位置に配置され、すなわち、第１連結カバー部１４に対向するように配置されている。第２連結カバー部１５は、二等辺三角形の２つの等辺の一方に対応する縁が第１傾斜カバー部１１に連結され、第１傾斜カバー部１１に対して回動自在に第１傾斜カバー部１１に支持されている。第２連結カバー部１５は、二等辺三角形の２つの等辺の他方に対応する縁が第２傾斜カバー部１２に連結され、第２傾斜カバー部１２に対して回動自在に第２傾斜カバー部１２に支持されている。【００１７】
図２は、読取補助装置６と画像読取補助装置３とを示す正面図である。読取補助装置６は、図２に示されているように、外部装置保持部１６を備えている。外部装置保持部１６は、第１傾斜カバー部１１の外側の表面に配置されている。外部装置保持部１６は、外部装置５のうちの撮像部７が配置される面が、第１傾斜カバー部１１の外側の表面に対向するように、外部装置５を保持する。【００１８】
第１傾斜カバー部１１は、撮像用開口部１７が形成されている。撮像用開口部１７は、第１傾斜カバー部１１を貫通している。撮像用開口部１７は、外部装置５が外部装置保持部１６に保持されているときに、外部装置５の撮像部７に対向するように、形成されている。このため、撮像部７は、外部装置５が外部装置保持部１６に適切に保持されるときに、読取補助装置６の内部空間を撮像することができる。【００１９】
読取補助装置６は、照度センサ１８をさらに備えている。照度センサ１８は、外部装置５が外部装置保持部１６に適切に保持されるときに、外部装置５の発光部８に対向するように、第１傾斜カバー部１１の外側の表面に配置されている。このため、照度センサ１８は、外部装置５が外部装置保持部１６に適切に保持されるときに、発光部８から発光されたストロボ光を適切に受光することができる。【００２０】
図３は、読取補助装置６と画像読取補助装置３とを示す側面図である。読取補助装置６は、図３に示されているように、画像読取補助装置３に取り付けられている。読取補助装置６は、画像読取補助装置３に取り付けられることにより、読取補助装置６が形成する三角柱のうちの第１傾斜カバー部１１と第２傾斜カバー部１２とに対応する２つの側面と異なる他の１つの側面に対応する領域が画像読取補助装置３に対向する。【００２１】
図４は、読取補助装置６と画像読取補助装置３とを示す断面図であり、図３のＡ−Ａ線断面図である。読取補助装置６は、図４に示されているように、内部空間２１が形成されている。内部空間２１は、第１傾斜カバー部１１と第２傾斜カバー部１２と第１連結カバー部１４と第２連結カバー部１５とに囲まれている。読取補助装置６は、読取補助装置６が形成する三角柱のうちの第１傾斜カバー部１１と第２傾斜カバー部１２とに対応する２つの側面と異なる他の１つの側面に対応する領域に開口部２２が形成されている。すなわち、開口部２２は、第１傾斜カバー部１１と第２傾斜カバー部１２と第１連結カバー部１４と第２連結カバー部１５とに囲まれている。【００２２】
読取補助装置６は、ミラー２３と第１読取装置側光源２４と第２読取装置側光源２５とをさらに備えている。ミラー２３は、第２傾斜カバー部１２の内側の表面に配置されている。ミラー２３は、開口部２２に配置される被写体から発される光を反射させ、外部装置５が外部装置保持部１６に適切に保持されるときに、撮像部７がミラー２３を介してその被写体の画像を撮像することができるように設けられている。第１読取装置側光源２４は、内部空間２１のうちの第１連結カバー部１４の近傍に配置されている。第１読取装置側光源２４は、点灯したり消灯したりする。第２読取装置側光源２５は、内部空間２１のうちの第２連結カバー部１５の近傍に配置されている。第２読取装置側光源２５は、点灯したり消灯したりする。【００２３】
読取補助装置６は、図示されていない補助装置側制御部をさらに備えている。補助装置側制御部は、いわゆるコンピュータであり、図示されていないＣＰＵと記憶装置とを備えている。ＣＰＵは、補助装置側制御部にインストールされるコンピュータプログラムを実行することにより、記憶装置と照度センサ１８と第１読取装置側光源２４と第２読取装置側光源２５とを制御する。記憶装置は、そのコンピュータプログラムを記録し、ＣＰＵにより利用される情報を記録する。【００２４】
補助装置側制御部は、照度センサ１８が受光する光の照度の変化が測定されるように、照度センサ１８を制御する。補助装置側制御部は、照度センサ１８により測定された照度の変化に基づいて、照度センサ１８が受光した光が、外部装置５から発信された「照明点灯指示」の光信号であるか否かを判定する。補助装置側制御部は、照度センサ１８が受光した光が「照明点灯指示」であるときに、「照明点灯指示」が「右照明点灯指示」を示すか「左照明点灯指示」を示すかを判定する。補助装置側制御部は、「照明点灯指示」を受信していないときに、第１読取装置側光源２４が消灯するように、第１読取装置側光源２４を制御し、第２読取装置側光源２５が消灯するように、第２読取装置側光源２５を制御する。補助装置側制御部は、「照明点灯指示」が「右照明点灯指示」を示すときに、第１読取装置側光源２４が点灯するように、第１読取装置側光源２４を制御する。補助装置側制御部は、「照明点灯指示」が「左照明点灯指示」を示すときに、第２読取装置側光源２５が点灯するように、第２読取装置側光源２５を制御する。【００２５】
図５は、読取補助装置６と画像読取補助装置３とを示す分解斜視図である。読取補助装置６は、図５に示されているように、画像読取補助装置３と着脱可能に形成されている。読取補助装置６は、画像読取補助装置３から取り外されているときに、ユーザに操作されることにより、折り畳み状態と開状態とに切り替えられる。すなわち、第１連結カバー部１４は、第１傾斜カバー部１１と第２傾斜カバー部１２との間に入り込むように、折り畳まれることができる。第２連結カバー部１５は、第１傾斜カバー部１１と第２傾斜カバー部１２との間に入り込むように、折り畳まれることができる。【００２６】
読取補助装置６は、開状態に切り替えられることにより、第１連結カバー部１４と第２連結カバー部１５との両方が平坦に形成され、概ね三角柱状に形成される。読取補助装置６は、開状態に切り替えられているときに、開口部２２が画像読取補助装置３により塞がれるように、画像読取補助装置３に保持される。【００２７】
読取補助装置６は、折り畳み状態に切り替えられることにより、第１連結カバー部１４と第２連結カバー部１５とが折り畳まれ、第１傾斜カバー部１１と第２傾斜カバー部１２との間に入り込む。読取補助装置６は、折り畳み状態に切り替えられることにより、さらに、第１傾斜カバー部１１と第２傾斜カバー部１２とが寄り添うように、第１傾斜カバー部１１の開口部２２の側の端と第２傾斜カバー部１２の開口部２２の側の端とが接近する。読取補助装置６は、折り畳み状態に切り替えられることにより、開状態より小型化される。このため、読取補助装置６は、折り畳み状態に切り替えられることにより、搬送されやすくなり、収納されやすくなる。【００２８】
図６は、実施例１の画像読取補助装置３を示す斜視図である。図７は、実施例１の画像読取補助装置３を示す平面図である。画像読取補助装置３は、図６に示されているように、筐体部３１と透明部材３２と光源ユニット３３とを備えている。筐体部３１は、樹脂から形成され、図７に示されているように、概ね直方体に形成されている。透明部材３２は、ガラスから形成され、長方形の板状に形成されている。光源ユニット３３は、第１アタッチメント側光源３４と第２アタッチメント側光源３５とを備えている。第１アタッチメント側光源３４は、棒状に形成され、点灯されることにより、光を放射する。第１アタッチメント側光源３４から放射される光は、蛍光物質を励起させる励起光を含んでいる。その励起光としては、紫外線が例示される。その蛍光物質は、その励起光により励起されることにより、撮像部７により撮像される可視光を発する。第２アタッチメント側光源３５は、棒状に形成され、点灯されることにより、光を放射する。第１アタッチメント側光源３４から放射される光は、第１アタッチメント側光源３４から放射される光と同様の波長特性（たとえば、スペクトル）を有し、すなわち、蛍光物質を励起させる励起光を含んでいる。【００２９】
図８は、実施例１の画像読取補助装置３を示す断面図であり、図７のＢ−Ｂ線断面図である。筐体部３１は、図８に示されているように、本体部４１と読取装置保持部４２と透明部材保持部４３とを備えている。本体部４１は、概ね長方形の板状に形成されている。このとき、筐体部３１は、画像読取補助装置３が設置される設置面４４に本体部４１が載置されることにより、設置面４４に固定される。本体部４１は、原稿載置面４５が形成されている。原稿載置面４５は、本体部４１のうちの設置面４４に対向する側の反対側に形成され、概ね長方形状に形成されている。【００３０】
読取装置保持部４２は、原稿載置面４５の周囲を囲むように形成され、本体部４１のうちの原稿載置面４５の周囲から突出するように形成されている。読取装置保持部４２は、２つの傾斜カバー載置面４６が形成されている。２つの傾斜カバー載置面４６は、読取装置２と画像読取補助装置３とが画像読取装置１に組み立てられたときに、第１傾斜カバー部１１と第２傾斜カバー部１２とに対向するように、形成されている。読取装置保持部４２は、読取補助装置６の第１傾斜カバー部１１と第２傾斜カバー部１２とが２つの傾斜カバー載置面４６にそれぞれ載置されることにより、読取装置２が画像読取補助装置３に固定されるように、読取装置２を保持する。【００３１】
透明部材保持部４３は、読取装置保持部４２の内側に配置されている。透明部材保持部４３は、さらに、２つの溝４７が形成されている。２つの溝４７は、２つの傾斜カバー載置面４６と原稿載置面４５との間にそれぞれ形成されている。透明部材保持部４３は、透明部材３２の縁が２つの溝４７に嵌め込まれることにより、透明部材３２を筐体部３１に固定している。【００３２】
図９は、実施例１の画像読取補助装置３を示す断面図であり、図７のＣ−Ｃ線断面図である。読取装置保持部４２は、図９に示されているように、２つの連結カバー載置面５１と２つの連結カバー保持用突起５２とが形成されている。２つの連結カバー載置面５１は、読取装置２と画像読取補助装置３とが画像読取装置１に組み立てられたときに、第１連結カバー部１４と第２連結カバー部１５とにそれぞれ対向するように、形成されている。２つの連結カバー保持用突起５２は、２つの連結カバー載置面５１のうちの原稿載置面４５に近い側の端にそれぞれ形成され、２つの連結カバー載置面５１から突出するようにそれぞれ形成されている。読取装置保持部４２は、２つの連結カバー載置面５１に第１連結カバー部１４と第２連結カバー部１５とが載置されることにより、読取装置２を保持する。読取装置保持部４２は、さらに、２つの連結カバー保持用突起５２が第１連結カバー部１４の内側と第２連結カバー部１５の内側とに接触することにより、読取装置２を保持する。【００３３】
透明部材保持部４３は、さらに、溝４８が形成されている。溝４８は、透明部材保持部４３のうちの２つの連結カバー保持用突起５２の一方と原稿載置面４５との間に形成されている。透明部材保持部４３は、さらに、透明部材保持部４３のうちの２つの連結カバー保持用突起５２の他方と原稿載置面４５との間に当接面４９が形成されている。透明部材保持部４３は、さらに、透明部材３２の１つの縁が当接面４９に当接し、その縁の反対側の縁が溝４８に嵌め込まれることにより、透明部材３２を筐体部３１に固定している。すなわち、透明部材３２は、透明部材３２が形成する長方形の３辺に対応する縁が２つの溝４７と溝４８とに嵌め込まれ、長方形の残りの１辺に対応する縁が溝に嵌め込まれないで筐体部３１に固定されている。【００３４】
筐体部３１は、第１光源保持溝５３と第２光源保持溝５４とがさらに形成されている。第１光源保持溝５３は、２つの連結カバー保持用突起５２の一方のうちの原稿載置面４５に近い側の面に形成されている。第１アタッチメント側光源３４は、第１光源保持溝５３に嵌め込まれることにより、筐体部３１に固定されている。第２光源保持溝５４は、２つの連結カバー保持用突起５２の他方のうちの原稿載置面４５に近い側の面に形成され、すなわち、第１光源保持溝５３に対向するように形成されている。第２アタッチメント側光源３５は、第２光源保持溝５４に嵌め込まれることにより、筐体部３１に固定されている。【００３５】
筐体部３１は、原稿挿入口５５がさらに形成されている。原稿挿入口５５は、原稿載置面４５が形成する長方形のうちの当接面４９に沿う１辺に対応する端の近傍に形成され、読取装置保持部４２を貫通する貫通孔から形成されている。すなわち、原稿挿入口５５は、本体部４１と透明部材３２との間に形成される空間を外部に接続している。原稿挿入口５５は、さらに、その１辺に平行である方向の幅が、原稿載置面４５のその１辺の長さと等しくなるように、形成されている。【００３６】
原稿載置面４５は、平坦部分５６と傾斜部分５７とが形成されている。平坦部分５６は、平坦に形成され、設置面４４に平行になるように形成されている。傾斜部分５７は、概ね平坦に形成され、設置面４４に対して傾斜し、原稿挿入口５５に近付くにつれ、透明部材３２との距離が大きくなるように形成されている。原稿挿入口５５は、傾斜部分５７が傾斜していることにより、平坦部分５６の法線方向の幅が、平坦部分５６と透明部材３２との間の距離より大きくなるように、形成されている。【００３７】
筐体部３１は、原稿保持部６１と案内部６２とをさらに備えている。図１０は、原稿保持部６１と案内部６２とを示す断面図である。原稿保持部６１は、図１０に示されているように、本体部４１のうちの原稿挿入口５５の側の端と、読取装置保持部４２のうちの原稿挿入口５５に対向する部分とに隣接するように形成されている。原稿保持部６１は、本体部４１に接合されている。原稿保持部６１は、綴じ部保持面６４と第１原稿保持面６５と第２原稿保持面６６とが形成されている。綴じ部保持面６４は、なだらかに屈曲している曲面に形成され、原稿載置面４５の傾斜部分５７になだらかに接続されている。第１原稿保持面６５は、概ね平坦に形成され、設置面４４に対して傾斜し、原稿挿入口５５から遠ざかるにつれて設置面４４から遠ざかるように形成されている。第１原稿保持面６５は、綴じ部保持面６４になだらかに接続されている。第２原稿保持面６６は、原稿保持部６１のうちの読取装置保持部４２の近傍に形成され、第１原稿保持面６５に対向するように形成されている。【００３８】
案内部６２は、原稿保持部６１の外側に配置され、すなわち、案内部６２と本体部４１との間に原稿保持部６１が配置されるように配置されている。案内部６２は、原稿保持部６１に接合されている。案内部６２は、案内面６７が形成されている。案内面６７は、概ね平坦に形成され、設置面４４に対して傾斜し、原稿挿入口５５から遠ざかるにつれて設置面４４から遠ざかるように形成されている。案内面６７と設置面４４とがなす角としては、３５度が例示される。案内面６７は、さらに、第１原稿保持面６５になだらかに接続されている。【００３９】
案内部６２は、さらに、幅方向の幅が、原稿載置面４５のその幅方向の幅より小さくなるように形成されている。その幅方向は、原稿載置面４５が形成する長方形のうちの原稿挿入口５５に隣接する１辺に平行である。案内部６２の幅としては、原稿載置面４５の幅が１３２ｍｍであるときに、４８．４ｍｍが例示される。案内部６２は、原稿保持部６１のうちのその幅方向の中央部に隣接するように形成されている。すなわち、案内部６２は、原稿保持部６１のうちのその幅方向の端部に隣接する領域に配置されていない（図７参照）。【００４０】
図１１は、冊子７１を保持しているときの原稿保持部６１を示す斜視図である。図１２は、冊子７１を保持しているときの原稿保持部６１を示す側面図である。原稿保持部６１は、図１１に示されているように、冊子７１を保持することに利用される。冊子７１は、いわゆる中綴じにより製本されたものであり、複数のシート７２と綴じ部７３とを備えている。複数のシート７２は、それぞれ、長方形状に形成され、中央に折り目が形成され、折り目が重なるように重ねられている。綴じ部７３は、複数のシート７２に形成される折り目に沿って形成されている部分であり、複数のシート７２を綴じている。このような冊子７１としては、パスポート、通帳が例示される。【００４１】
冊子７１は、複数のシート７２のうちの対象シート７４が原稿載置面４５に載置されているときに、原稿保持部６１により保持される。冊子７１は、原稿保持部６１に保持されているときに、綴じ部７３が綴じ部保持面６４に載置され、複数のシート７２のうちの対象シート７４を除く複数の非対象シート７５が第１原稿保持面６５と第２原稿保持面６６との間に挟まれている。冊子７１は、原稿保持部６１により保持されるときに、原稿載置面４５に載置される対象シート７４が沿う平面に対して傾斜している平面に複数の非対象シート７５が沿うように複数の非対象シート７５が配置されている。複数の非対象シート７５が沿う平面は、既述の幅方向に平行である。複数の非対象シート７５が沿う平面と、対象シート７４が沿う平面とがなす角としては、４５度が例示される。【００４２】
対象シート７４は、対象シート７４が案内面６７に接触した後に、対象シート７４が案内面６７と第１原稿保持面６５と綴じ部保持面６４とを滑ることにより、原稿挿入口５５を介して、本体部４１と透明部材３２との間に挿入され、原稿載置面４５に載置される。このとき、対象シート７４は、原稿載置面４５に傾斜部分５７が形成されることにより、原稿挿入口５５が大きく、対象シート７４が屈曲している場合でも、原稿挿入口５５に引っ掛かり難く、本体部４１と透明部材３２との間にスムーズに挿入されることができる。対象シート７４は、案内面６７と第１原稿保持面６５と綴じ部保持面６４と原稿載置面４５とがなだらかに接続していることにより、途中で引っ掛かることなく、本体部４１と透明部材３２との間にスムーズに挿入されることができる。【００４３】
綴じ部７３は、対象シート７４が原稿載置面４５に載置されたときに、綴じ部保持面６４に載置される。複数の非対象シート７５は、対象シート７４が原稿載置面４５に載置されたときに、第１原稿保持面６５と第２原稿保持面６６との間に挟まれる。冊子７１は、綴じ部７３が綴じ部保持面６４に載置され、かつ、複数の非対象シート７５が第１原稿保持面６５と第２原稿保持面６６との間に挟まれることにより、画像読取補助装置３に保持される。対象シート７４は、原稿載置面４５に載置されるときに、本体部４１と透明部材３２との間に挟まれることにより、概ね平坦に矯正される。画像読取補助装置３は、原稿保持部６１により冊子７１が適切に保持されるときに、対象シート７４が本体部４１と透明部材３２との間の隙間の適切な位置に配置されるように形成されている。【００４４】
原稿挿入口５５は、透明部材３２のうちの原稿挿入口５５の近傍の端が２つの溝４７と溝４８とに嵌め込まれていないことにより、その端の原稿挿入口５５の側に筐体部３１の部分が配置されないで、大きく形成されることができる。対象シート７４は、透明部材３２のうちの原稿挿入口５５の近傍の端が２つの溝４７と溝４８とに嵌め込まれていないことにより、綴じ部７３の近傍まで撮像部７の視野に含まれることができる。【００４５】
図１３は、実施例１の画像読取補助装置３を備える画像読取装置１を示すブロック図である。画像読取補助装置３は、図１３に示されているように、電源部８１とコントローラ部８２とをさらに備えている。電源部８１は、バッテリ８３と電圧安定回路８４とを備えている。バッテリ８３は、電圧安定回路８４に接続され、直流電力を電圧安定回路８４に供給する。電圧安定回路８４は、バッテリ８３から供給される電力を電圧が一定の値になるように安定化させ、その安定化された電力を光源ユニット３３とコントローラ部８２とに供給する。【００４６】
コントローラ部８２は、いわゆるコンピュータであり、ＣＰＵ８５と記憶部８６と入出力部８７と通信部８８と電源スイッチ８９とをさらに備えている。ＣＰＵ８５は、コントローラ部８２にインストールされるコンピュータプログラムを実行することにより、記憶部８６と入出力部８７と通信部８８と電源スイッチ８９と光源ユニット３３とを制御する。記憶部８６は、そのコンピュータプログラムを記録し、ＣＰＵ８５により利用される情報を記録する。入出力部８７は、ユーザに操作されることにより生成される情報をＣＰＵ８５に出力し、ＣＰＵ８５により生成された情報をユーザに認識可能に出力する。通信部８８は、外部装置５と無線通信を介して通信することにより、外部装置５から受信された情報をＣＰＵ８５に出力する。電源スイッチ８９は、ユーザに操作されることにより、オン状態またはオフ状態に切り替えられる。電源スイッチ８９は、オン状態に切り替えられたときに、コントローラ部８２を起動させ、電源部８１からコントローラ部８２に電力を供給する。電源スイッチ８９は、オフ状態に切り替えられたときに、コントローラ部８２をシャットダウンさせ、電源部８１からコントローラ部８２に電力が供給されることを停止する。【００４７】
コントローラ部８２は、外部装置５から「照明点灯指示」が発信されたか否かが検出されるように、通信部８８を制御する。コントローラ部８２は、外部装置５から「照明点灯指示」が発信されていないときに、第１読取装置側光源２４と第２読取装置側光源２５との両方が消灯するように、第１読取装置側光源２４と第２読取装置側光源２５とを制御する。コントローラ部８２は、外部装置５から発信された「照明点灯指示」が「右照明点灯指示」を示しているときに、第１読取装置側光源２４が点灯するように、第１読取装置側光源２４を制御する。コントローラ部８２は、外部装置５から発信された「照明点灯指示」が「左照明点灯指示」を示しているときに、第２読取装置側光源２５が点灯するように、第２読取装置側光源２５を制御する。【００４８】
［画像読取補助装置３の動作］
図１４は、実施例１の画像読取補助装置３が実行する動作を示すフローチャートである。画像読取補助装置３のコントローラ部８２は、電源スイッチ８９がオン状態に切り替えられると、起動する。コントローラ部８２は、起動すると、図１４に示されているように、通信部８８を制御することにより、外部装置５から「照明点灯指示」の無線通信信号が発信されたか否かを検出する（ステップＳ１）。コントローラ部８２は、外部装置５から「照明点灯指示」が発信されたことが検出されないときに（ステップＳ２、Ｎｏ）、第１アタッチメント側光源３４と第２アタッチメント側光源３５とを消灯させる（ステップＳ３）。コントローラ部８２は、第１アタッチメント側光源３４と第２アタッチメント側光源３５との両方が消灯した後に、通信部８８を制御することにより、外部装置５から「照明点灯指示」が発信されたか否かを検出する（ステップＳ１）。【００４９】
コントローラ部８２は、外部装置５から「照明点灯指示」が発信されたことが検出されたときに（ステップＳ２、Ｙｅｓ）、「照明点灯指示」が「左照明点灯指示」を示しているか「右照明点灯指示」を示しているかを判定する（ステップＳ４）。コントローラ部８２は、「照明点灯指示」が「左照明点灯指示」を示しているときに（ステップＳ４、Ｙｅｓ）、第２アタッチメント側光源３５を制御することにより、第２アタッチメント側光源３５を点灯させる（ステップＳ５）。コントローラ部８２は、「照明点灯指示」が「右照明点灯指示」を示しているときに（ステップＳ４、Ｎｏ）、第１アタッチメント側光源３４を制御することにより、第１アタッチメント側光源３４を点灯させる（ステップＳ６）。コントローラ部８２は、停止されるまで、すなわち、電源スイッチ８９がオフ状態に切り替えられるまで、ステップＳ１〜ステップＳ６の処理を繰り返し実行する。【００５０】
［読取補助装置６の動作］
読取補助装置６も、画像読取補助装置３と同様にして、動作する。すなわち、読取補助装置６の補助装置側制御部は、電源が入れられると、照度センサ１８を制御することにより、外部装置５から「照明点灯指示」の光信号が発信されたか否かを検出する。補助装置側制御部は、外部装置５から「照明点灯指示」の光信号が発信されたことが検出されないときに、第１読取装置側光源２４と第２読取装置側光源２５とを消灯させる。補助装置側制御部は、第１読取装置側光源２４と第２読取装置側光源２５との両方が消灯した後に、照度センサ１８を制御することにより、外部装置５から「照明点灯指示」の光信号が発信されたか否かを検出する。【００５１】
補助装置側制御部は、外部装置５から「照明点灯指示」の光信号が発信されたことが検出されたときに、「照明点灯指示」の光信号が「左照明点灯指示」を示しているか「右照明点灯指示」を示しているかを判定する。補助装置側制御部は、「照明点灯指示」の光信号が「右照明点灯指示」を示しているときに、第１読取装置側光源２４を制御することにより、第１読取装置側光源２４を点灯させる。補助装置側制御部は、「照明点灯指示」の光信号が「左照明点灯指示」を示しているときに、第２読取装置側光源２５を制御することにより、第２読取装置側光源２５を点灯させる。補助装置側制御部は、停止されるまで、この動作を繰り返し実行する。【００５２】
［画像読取装置１の動作］
図１５は、実施例１の画像読取補助装置３を備える画像読取装置１が実行する動作を示すフローチャートである。ユーザは、画像読取装置１を用いて冊子７１のうちの対象シート７４の画像を読み取るときに、読取補助装置６を開状態に切り替え、外部装置５を読取補助装置６の外部装置保持部１６に保持させることにより、読取装置２を組み立てる。ユーザは、さらに、画像読取補助装置３の電源スイッチ８９をオン状態に切り替え、画像読取補助装置３に読取装置２を保持させることにより、画像読取装置１を組み立てる。ユーザは、さらに、外部装置５のタッチパネル部１０を操作することにより、外部装置５に所定のアプリケーションソフトウェアを実行させる（ステップＳ１１）。【００５３】
ユーザは、所定のアプリケーションソフトウェアが起動すると、冊子７１を開き、冊子７１を画像読取補助装置３に保持させる。すなわち、ユーザは、対象シート７４の端を案内面６７に接触させ、対象シート７４を案内面６７と第１原稿保持面６５と綴じ部保持面６４とを滑らせることにより、対象シート７４を原稿挿入口５５から本体部４１と透明部材３２との間に挿入する。このとき、ユーザは、案内部６２の幅が小さく形成されていることにより、冊子７１を持つ手が案内部６２にぶつからないで、本体部４１と透明部材３２との間に対象シート７４を容易に挿入することができる。【００５４】
ユーザは、さらに、冊子７１を移動させ、冊子７１のうちの綴じ部７３と複数の非対象シート７５とを原稿保持部６１に適切に保持させる。冊子７１は、綴じ部７３と複数の非対象シート７５とが原稿保持部６１に保持されることにより、対象シート７４が本体部４１と透明部材３２との間に配置されるように、保持される。対象シート７４は、本体部４１と透明部材３２との間に配置されるときに、本体部４１と透明部材３２との間に挟まれることにより、概ね平坦に矯正される。【００５５】
外部装置５は、所定のアプリケーションソフトウェアを実行することにより、原稿載置面４５に載置される被写体の画像を撮像し、その撮像される画像をタッチパネル部１０に表示する。ユーザは、タッチパネル部１０に表示された画像を確認することにより、本体部４１と透明部材３２との間の隙間のうちの適切な位置に対象シート７４が配置されているか判定する。ユーザは、対象シート７４が適切な位置に配置されていないときに、冊子７１を移動させることにより、対象シート７４を適切な位置に配置させる。【００５６】
ユーザは、対象シート７４が適切な位置に配置されたときに、タッチパネル部１０に所定の操作を施す。外部装置５は、タッチパネル部１０を制御することにより、タッチパネル部１０に所定の操作がされたか否かを検出する（ステップＳ１２）。外部装置５は、タッチパネル部１０に所定の操作がされたことが検出されないときに（ステップＳ１３、Ｎｏ）、ステップＳ１２の処理を繰り返し実行することにより待機する。【００５７】
外部装置５は、タッチパネル部１０に所定の操作がされたことが検出されたときに（ステップＳ１３、Ｙｅｓ）、「右照明点灯指示」を示す「照明点灯指示」の光信号を連続的に発信する。読取補助装置６の補助装置側制御部は、「右照明点灯指示」を示す「照明点灯指示」の光信号を受信すると、第１読取装置側光源２４を制御することにより、「照明点灯指示」が検出された時刻から算出されたタイミングで第１読取装置側光源２４を点灯させる。外部装置５は、第１読取装置側光源２４が点灯しているときに、撮像部７を制御することにより、対象シート７４の右側読取装置照明画像を撮像し、右側読取装置照明画像を記憶装置に記録する。外部装置５は、右側読取装置照明画像が撮像されると、「照明点灯指示」の光信号の発信を停止する。読取補助装置６の補助装置側制御部は、「照明点灯指示」が受信されなくなると、第１読取装置側光源２４と第２読取装置側光源２５とを消灯させる。【００５８】
外部装置５は、「照明点灯指示」の発信を停止した後に、「左照明点灯指示」を示す「照明点灯指示」の光信号を連続的に発信する。読取補助装置６の補助装置側制御部は、「左照明点灯指示」を示す「照明点灯指示」の光信号を受信すると、第２読取装置側光源２５を制御することにより、「照明点灯指示」が検出された時刻から算出されたタイミングで第２読取装置側光源２５を点灯させる。外部装置５は、第２読取装置側光源２５が点灯しているときに、撮像部７を制御することにより、対象シート７４の左側読取装置照明画像を撮像し、左側読取装置照明画像を記憶装置に記録する（ステップＳ１４）。外部装置５は、左側読取装置照明画像が撮像されると、「照明点灯指示」の光信号の発信を停止する。読取補助装置６の補助装置側制御部は、「照明点灯指示」が受信されなくなると、第１読取装置側光源２４と第２読取装置側光源２５とを消灯させる。【００５９】
外部装置５は、右側読取装置照明画像と左側読取装置照明画像とが撮像されると、右側読取装置照明画像と左側読取装置照明画像とを画像処理し画像合成することにより、合成可視光画像を生成する（ステップＳ１５）。右側読取装置照明画像は、第１読取装置側光源２４が点灯しているときに撮像されたものであるため、第１読取装置側光源２４の写り込みが写し出されている。左側読取装置照明画像は、第２読取装置側光源２５が点灯しているときに撮像されたものであるため、第２読取装置側光源２５の写り込みが写し出されている。右側読取装置照明画像のうちの第１読取装置側光源２４の写り込みが写し出されている領域は、左側読取装置照明画像のうちの第２読取装置側光源２５の写り込みが写し出されている領域と異なっている。合成可視光画像は、右側読取装置照明画像のうちの第１読取装置側光源２４の写り込みが写し出されていない部分と左側読取装置照明画像のうちの第２読取装置側光源２５の写り込みが写し出されていない部分とが合成された画像である。合成可視光画像は、第１読取装置側光源２４の写り込みと第２読取装置側光源２５の写り込みとが写し出されていないで、被写体が高品位で写し出されている。外部装置５は、合成可視光画像を記憶装置に記録する（ステップＳ１６）。【００６０】
外部装置５は、合成可視光画像が記憶装置に記録された後に、「右照明点灯指示」を示す「照明点灯指示」の無線通信信号を連続的に発信する。コントローラ部８２は、「右照明点灯指示」を示す「照明点灯指示」を受信すると、第１アタッチメント側光源３４を制御することにより、「照明点灯指示」が検出された時刻から算出されたタイミングで第１アタッチメント側光源３４を点灯させる。外部装置５は、第１アタッチメント側光源３４が点灯しているときに、撮像部７を制御することにより、対象シート７４の右側アタッチメント照明画像を撮像し、右側アタッチメント照明画像を記憶装置に記録する。外部装置５は、右側アタッチメント照明画像が記憶装置に記録された後に、「照明点灯指示」の発信を停止する。コントローラ部８２は、「照明点灯指示」の受信が検出されなくなると、第１アタッチメント側光源３４と第２アタッチメント側光源３５とを消灯させる。【００６１】
外部装置５は、「照明点灯指示」の発信を停止した後に、「左照明点灯指示」を示す「照明点灯指示」の無線通信信号を連続的に発信する。コントローラ部８２は、「左照明点灯指示」を示す「照明点灯指示」を受信すると、第２アタッチメント側光源３５を制御することにより、「照明点灯指示」が検出された時刻から算出されたタイミングで第２アタッチメント側光源３５を点灯させる。外部装置５は、第２アタッチメント側光源３５が点灯しているときに、撮像部７を制御することにより、対象シート７４の左側アタッチメント照明画像を撮像し、左側アタッチメント照明画像を記憶装置に記録する（ステップＳ１７）。外部装置５は、左側アタッチメント照明画像が撮像されると、「照明点灯指示」の発信を停止する。コントローラ部８２は、「照明点灯指示」が受信されなくなると、第１アタッチメント側光源３４と第２アタッチメント側光源３５とを消灯させる。【００６２】
外部装置５は、右側アタッチメント照明画像と左側アタッチメント照明画像とが撮像されると、右側アタッチメント照明画像と左側アタッチメント照明画像とを画像処理し画像合成することにより、合成蛍光画像を生成する（ステップＳ１８）。右側アタッチメント照明画像は、第１アタッチメント側光源３４が点灯しているときに撮像されたものであるため、第１アタッチメント側光源３４の写り込みが写し出されている。左側アタッチメント照明画像は、第２アタッチメント側光源３５が点灯しているときに撮像されたものであるため、第２アタッチメント側光源３５の写り込みが写し出されている。右側アタッチメント照明画像のうちの第１アタッチメント側光源３４の写り込みが写し出されている領域は、左側アタッチメント照明画像のうちの第２アタッチメント側光源３５の写り込みが写し出されている領域と異なっている。合成蛍光画像は、右側アタッチメント照明画像のうちの第１アタッチメント側光源３４の写り込みが写し出されていない部分と左側アタッチメント照明画像のうちの第２アタッチメント側光源３５の写り込みが写し出されていない部分とが合成された画像である。合成蛍光画像は、第１アタッチメント側光源３４の写り込みと第２アタッチメント側光源３５の写り込みとが写し出されていないで、被写体が高品位で写し出されている。合成蛍光画像は、さらに、第１アタッチメント側光源３４の光の波長特性が第１アタッチメント側光源３４の光の波長特性と同様であることにより、右側アタッチメント照明画像と左側アタッチメント照明画像とから違和感なく合成されることができる。合成蛍光画像は、さらに、第１アタッチメント側光源３４と第２アタッチメント側光源３５とが励起光を発することにより、対象シート７４に塗布される蛍光物質が発する蛍光が写し出されている。外部装置５は、合成蛍光画像を記憶装置に記録する（ステップＳ１９）。【００６３】
外部装置５は、タッチパネル部１０を制御することにより、ステップＳ１５で作成された合成可視光画像と、ステップＳ１８で作成された合成蛍光画像とをタッチパネル部１０に表示する（ステップＳ２０）。外部装置５は、所定のアプリケーションソフトウェアが終了するまで、ステップＳ１２〜ステップＳ２０の処理を繰り返し実行する。【００６４】
［画像読取補助装置３の効果］
実施例１の画像読取補助装置３は、本体部４１と透明部材３２と原稿保持部６１と読取装置保持部４２とを備えている。本体部４１は、冊子７１のうちの対象シート７４が載置される原稿載置面４５が形成されている。透明部材３２は、原稿載置面４５に対向している。原稿保持部６１は、対象シート７４が原稿載置面４５に載置されているときに、冊子７１のうちの対象シート７４と異なる部分を保持する。読取装置保持部４２は、読取装置２を保持している。読取装置２は、対象シート７４が原稿載置面４５に載置されているときに、透明部材３２を透過する光を利用して、対象シート７４のうちの透明部材３２に対向する読取面の画像を撮像する。【００６５】
このような画像読取補助装置３は、対象シート７４を本体部４１と透明部材３２との間に配置することにより、対象シート７４を概ね平坦に容易に矯正することができる。画像読取補助装置３は、さらに、対象シート７４を押さえる可動部材を備える必要がなく、装置が簡略化され、装置規模が小型化されることができる。画像読取補助装置３は、対象シート７４を本体部４１と透明部材３２との間に挿入する作業と別個に、対象シート７４を平坦に矯正する作業をする必要がなく、対象シート７４を概ね平坦に容易に矯正することができる。画像読取補助装置３は、対象シート７４を概ね平坦に矯正することにより、対象シート７４を適切に撮像することができる。【００６６】
また、実施例１の画像読取補助装置３では、冊子７１は、複数のシート７２と、複数のシート７２を綴じる綴じ部７３とを備えている。複数のシート７２は、対象シート７４を含んでいる。冊子７１のうちの原稿保持部６１により保持される部分は、複数のシート７２のうちの対象シート７４と異なる複数の非対象シート７５と、綴じ部７３とを含んでいる。すなわち、このような画像読取補助装置３は、冊子７１のうちの対象シート７４の画像を読み取るときに、好適に利用されることができる。【００６７】
また、実施例１の画像読取補助装置３の原稿保持部６１は、原稿載置面４５が沿う平面に対して傾斜している他の平面に複数の非対象シート７５が沿うように、複数の非対象シート７５を保持する。このような画像読取補助装置３は、屈曲した状態で冊子７１を保持することにより、設置されるスペースを小さくすることができ、装置規模を小型化することができる。【００６８】
また、実施例１の画像読取補助装置３の原稿載置面４５のうちの原稿保持部６１に近い側の傾斜部分５７は、原稿保持部６１に近付くにつれ透明部材３２から遠ざかるように形成されている。このような画像読取補助装置３は、原稿載置面４５に傾斜部分５７が形成されていることにより、原稿挿入口５５を大きく形成することができ、本体部４１と透明部材３２との間に対象シート７４を挿入する作業を容易にすることができる。【００６９】
また、実施例１の画像読取補助装置３の透明部材３２は、透明部材３２の周囲のうちの原稿保持部６１に対向する部分と異なる部分が本体部４１に保持されることにより、本体部４１に固定されている。このような画像読取補助装置３は、透明部材３２の周囲のうちの原稿保持部６１に対向する部分が保持されないことにより、原稿挿入口５５を大きく形成することができ、本体部４１と透明部材３２との間に対象シート７４を挿入する作業を容易にすることができる。画像読取補助装置３は、透明部材３２の縁のうちの原稿保持部６１の近傍が保持されないことにより、さらに、対象シート７４のうちの読取装置２により撮像される領域を拡大することができる。【００７０】
また、実施例１の画像読取補助装置３の対象シート７４を照明する光源ユニット３３をさらに備えている。このような画像読取補助装置３は、対象シート７４が照明されることにより、対象シート７４の画像が適切に撮像されることができる。【００７１】
また、実施例１の画像読取補助装置３の光源ユニット３３は、対象シート７４を照明する第１アタッチメント側光源３４と、対象シート７４を照明する第２アタッチメント側光源３５とを備えている。第１アタッチメント側光源３４が配置される位置は、第２アタッチメント側光源３５が配置される位置と異なっている。このような画像読取補助装置３は、第１アタッチメント側光源３４により照明されたときに撮像された画像と第２アタッチメント側光源３５により照明されたときに撮像された画像とを合成することにより、光源の映り込みが無い合成画像を作成することができる。【００７２】
また、実施例１の画像読取補助装置３の光源ユニット３３は、蛍光物質を励起させる励起光を対象シート７４に放射することにより対象シート７４を照明する。このような画像読取補助装置３は、対象シート７４に励起光を放射することにより、対象シート７４に塗布される蛍光物質の画像を撮像することができる。たとえば、パスポートは、偽造防止用に蛍光物質を用いて画像が印刷されているものがある。このとき、ユーザは、画像読取補助装置３により読み取られた画像をパスポートの真偽の判定に利用することができる。【００７３】
また、実施例１の画像読取補助装置３の透明部材３２は、ガラスから形成されている。アクリル樹脂は、一般的に、紫外線による劣化防止のために、紫外線が通し難いように形成されている。このため、ガラスは、アクリル樹脂に比較して、紫外線の透過率が高く、光量が不足することなく、紫外線を用いて対象シート７４を適切に照明することができる。このような画像読取補助装置３は、透明部材３２がガラスから形成されていることにより、光源ユニット３３が紫外線を放射する場合に、対象シート７４に照射される光量が不足することなく、対象シート７４を適切に照明することができる。【００７４】
ところで、実施例１の画像読取補助装置３の透明部材３２は、ガラスから形成されているが、ガラスと異なる他の透明材料から形成されてもよい。その透明材料としては、アクリル樹脂が例示される。画像読取補助装置３は、透明部材３２がこのような透明材料から形成されている場合でも、対象シート７４を本体部４１と透明部材３２との間に配置することにより、対象シート７４を概ね平坦に容易に矯正することができる。【００７５】
ところで、実施例１の画像読取補助装置３の光源ユニット３３から放射される光が励起光を含んでいるが、光源ユニット３３は、励起光を含まない可視光を放射してもよい。画像読取補助装置３は、光源ユニット３３が、励起光を含まない可視光を放射する場合でも、対象シート７４を適切に照明することができ、対象シート７４の画像を適切に撮像することができる。【００７６】
ところで、実施例１の画像読取補助装置３の光源ユニット３３は、第１アタッチメント側光源３４と第２アタッチメント側光源３５との複数の光源を備えているが、１つの光源から形成されてもよい。画像読取補助装置３は、光源ユニット３３が１つの光源から形成される場合でも、対象シート７４を照明することができ、対象シート７４の画像を適切に撮像することができる。【００７７】
また、実施例１の画像読取補助装置３は、通信部８８とコントローラ部８２とをさらに備えている。通信部８８は、読取装置２から発信された信号を受信する。コントローラ部８２は、信号に基づいて導出される第１タイミングで対象シート７４が照明されるように第１アタッチメント側光源３４を制御する。コントローラ部８２は、さらに、その信号に基づいて導出される第２タイミングで対象シート７４が照明されるように第２アタッチメント側光源３５を制御する。このような画像読取補助装置３は、第１アタッチメント側光源３４と第２アタッチメント側光源３５とを自動的に点灯することにより、右側アタッチメント照明画像と左側アタッチメント照明画像とを容易に撮像することができる。【００７８】
ところで、実施例１の画像読取補助装置３の第１アタッチメント側光源３４と第２アタッチメント側光源３５とは、コントローラ部８２により自動的に点灯されたり消灯されたりしているが、手動で点灯されたり消灯されたりしてもよい。このとき、画像読取補助装置３は、第１アタッチメント側光源３４と第２アタッチメント側光源３５とを点灯したり消灯したりするスイッチを備えている。ユーザは、第１アタッチメント側光源３４と第２アタッチメント側光源３５とを手動で点灯したり消灯したりすることにより、右側アタッチメント照明画像と左側アタッチメント照明画像とを撮像する。この場合も、外部装置５は、右側アタッチメント照明画像と左側アタッチメント照明画像とに基づいて合成蛍光画像を生成することができる。【００７９】
また、実施例１の画像読取補助装置３は、原稿保持部６１に形成される曲面を介して原稿載置面４５になだらかに接続される案内面６７が形成される案内部６２をさらに備えている。このような画像読取補助装置３は、対象シート７４を案内面６７に滑らせることにより、対象シート７４を原稿挿入口５５から本体部４１と透明部材３２との間に挿入することができる。【００８０】
また、実施例１の画像読取補助装置３の案内部６２の幅方向の幅は、原稿載置面４５の幅方向の幅より小さい。その幅方向は、原稿載置面４５が沿う平面に平行であり、かつ、原稿保持部６１に保持されている複数の非対象シート７５が沿う平面に平行である。このような画像読取補助装置３は、案内部６２の幅が小さく形成されていることにより、冊子７１を持つユーザの手が案内部６２にぶつからないで、本体部４１と透明部材３２との間に対象シート７４を容易に挿入することができる。
【実施例２】
【００８１】
実施例２の画像読取補助装置は、既述の実施例１の画像読取補助装置３から光源ユニット３３と電源部８１とコントローラ部８２とが省略されている。図１６は、実施例２の画像読取補助装置を備える画像読取装置が実行する動作を示すフローチャートである。ユーザは、既述の画像読取装置１と同様にして、読取補助装置６を開状態に切り替え、外部装置５を読取補助装置６の外部装置保持部１６に保持させることにより、読取装置２を組み立てる。ユーザは、さらに、実施例２の画像読取補助装置に読取装置２を保持させることにより、画像読取装置１を組み立てる。ユーザは、さらに、外部装置５のタッチパネル部１０を操作することにより、外部装置５に所定のアプリケーションソフトウェアを実行させる（ステップＳ３１）。ユーザは、所定のアプリケーションソフトウェアが起動すると、冊子７１を開き、冊子７１を実施例２の画像読取補助装置に保持させる。【００８２】
ユーザは、対象シート７４が適切な位置に配置されたときに、タッチパネル部１０に所定の操作を施す。外部装置５は、タッチパネル部１０を制御することにより、タッチパネル部１０に所定の操作がされたか否かを検出する（ステップＳ３２）。外部装置５は、タッチパネル部１０に所定の操作がされたことが検出されないときに（ステップＳ３３、Ｎｏ）、ステップＳ３２の処理を繰り返し実行することにより待機する。【００８３】
外部装置５は、タッチパネル部１０に所定の操作がされたことが検出されたときに（ステップＳ３３、Ｙｅｓ）、「左照明点灯指示」を示す「照明点灯指示」の光信号を連続的に発信する（ステップＳ３４）。読取補助装置６の補助装置側制御部は、「左照明点灯指示」を示す「照明点灯指示」の光信号を受信すると、「照明点灯指示」が検出された時刻から算出されたタイミングで第２読取装置側光源２５を点灯させる（ステップＳ３５）。外部装置５は、第２読取装置側光源２５が点灯しているときに、撮像部７を制御することにより、対象シート７４の左側画像を撮像し、左側画像を記憶装置に記録する（ステップＳ３６）。外部装置５は、左側画像が撮像されると、「照明点灯指示」の光信号の発信を停止する。読取補助装置６の補助装置側制御部は、「照明点灯指示」が受信されなくなると、第２読取装置側光源２５と第１読取装置側光源２４とを消灯させる。【００８４】
外部装置５は、「照明点灯指示」の発信を停止した後に、「右照明点灯指示」を示す「照明点灯指示」の光信号を連続的に発信する（ステップＳ３７）。読取補助装置６の補助装置側制御部は、「右照明点灯指示」を示す「照明点灯指示」の光信号を受信すると、「照明点灯指示」が検出された時刻から算出されたタイミングで第１読取装置側光源２４を点灯させる（ステップＳ３８）。外部装置５は、第１読取装置側光源２４が点灯しているときに、撮像部７を制御することにより、対象シート７４の右側画像を撮像し、右側画像を記憶装置に記録する（ステップＳ３９）。外部装置５は、右側画像が撮像されると、「照明点灯指示」の光信号の発信を停止する。読取補助装置６の補助装置側制御部は、「照明点灯指示」が受信されなくなると、第２読取装置側光源２５と第１読取装置側光源２４とを消灯させる。【００８５】
外部装置５は、右側画像と左側画像とが撮像されると、右側画像と左側画像とを画像処理し、右側画像と左側画像とを画像合成することにより、合成可視光画像を生成する（ステップＳ４０）。外部装置５は、記憶装置を制御することにより、合成可視光画像を記憶装置に記録する（ステップＳ４１）。外部装置５は、合成可視光画像を記憶装置に記録した後に、タッチパネル部１０を制御することにより、ステップＳ３５で作成された合成可視光画像をタッチパネル部１０に表示する（ステップＳ４２）。外部装置５は、所定のアプリケーションソフトウェアが終了するまで、ステップＳ３２〜ステップＳ４２の処理を繰り返し実行する。【００８６】
実施例２の画像読取補助装置は、既述の実施例１の画像読取補助装置３と同様にして、対象シート７４を本体部４１と透明部材３２との間に配置することにより、対象シート７４を概ね平坦に矯正し、その一部分を適切に撮像することができる。
【実施例３】
【００８７】
図１７は、実施例３の画像読取補助装置を示す断面図である。実施例３の画像読取補助装置は、図１７に示されているように、既述の実施例１の画像読取補助装置３の原稿保持部６１が他の原稿保持部９１に置換されている。原稿保持部９１は、第１原稿保持面６５と第２原稿保持面６６との間の距離が変化するように、弾性変形可能に形成されている。原稿保持部９１は、冊子７１を保持する場合で、原稿保持部９１が冊子７１を保持していないときの第１原稿保持面６５と第２原稿保持面６６との間の距離より複数の非対象シート７５の厚さが厚いときに、弾性変形する。【００８８】
実施例３の画像読取補助装置は、実施例１の画像読取補助装置３と同様にして、対象シート７４を本体部４１と透明部材３２との間に配置することにより、対象シート７４を概ね平坦に容易に矯正することができ、対象シート７４を適切に撮像することができる。実施例３の画像読取補助装置は、原稿保持部９１が弾性変形可能であることにより、様々な厚さの冊子７１を適切に保持することができる。
【実施例４】
【００８９】
図１８は、実施例４の画像読取補助装置を示す断面図である。実施例４の画像読取補助装置は、図１８に示されているように、既述の実施例３の画像読取補助装置の原稿保持部９１が他の原稿保持部９２に置換されている。原稿保持部９２は、原稿保持部９１と同様にして、第１原稿保持面６５と第２原稿保持面６６との間の距離が変化するように、弾性変形可能に形成されている。原稿保持部９２は、冊子７１を保持する場合で、原稿保持部９２が冊子７１を保持していないときの第１原稿保持面６５と第２原稿保持面６６との間の距離より複数の非対象シート７５の厚さが厚いときに、弾性変形する。原稿保持部９２は、ばね９３を備えている。ばね９３は、原稿保持部９２が冊子７１を保持しているときに、複数の非対象シート７５が第１原稿保持面６５と第２原稿保持面６６とで挟まれるように、弾性力を与えている。【００９０】
実施例４の画像読取補助装置は、実施例１の画像読取補助装置３と同様にして、対象シート７４を本体部４１と透明部材３２との間に配置することにより、対象シート７４を概ね平坦に容易に矯正することができ、対象シート７４を適切に撮像することができる。実施例４の画像読取補助装置は、原稿保持部９２が弾性変形可能であることにより、様々な厚さの冊子７１を適切に保持することができる。実施例４の画像読取補助装置は、さらに、ばね９３が複数の非対象シート７５が挟まれるように弾性力を与えることにより、冊子７１を強力に保持することができる。
【実施例５】
【００９１】
図１９は、実施例５の画像読取補助装置を示す断面図である。実施例５の画像読取補助装置は、図１９に示されているように、既述の実施例１の画像読取補助装置３の本体部４１が他の本体部９４に置換され、第１アタッチメント９５−１と第２アタッチメント９５−２とをさらに備えている。本体部９４は、本体部４１と同様にして、原稿載置面４５が形成されている。本体部９４は、本体部４１のうちの原稿保持部６１が接合されている部分に対応する部分に、取付部９６が形成されている。【００９２】
第１アタッチメント９５−１は、原稿保持部６１−１と案内部６２−１とを備えている。原稿保持部６１−１は、既述の原稿保持部６１と同様にして、綴じ部保持面６４−１と第１原稿保持面６５−１とが形成されている。案内部６２−１は、既述の案内部６２と同様にして、原稿保持部６１−１に接合され、案内面６７−１が形成されている。綴じ部保持面６４−１と第１原稿保持面６５−１と案内面６７−１とは、それぞれなだらかに形成され、互いになだらかに接続されている。【００９３】
第１アタッチメント９５−１は、さらに、原稿保持部６１−１に取付部９７−１が形成されている。取付部９７−１は、本体部９４の取付部９６に取り付けられることにより、第１アタッチメント９５−１を本体部９４に固定する。綴じ部保持面６４−１は、第１アタッチメント９５−１が本体部９４に取り付けられたときに、原稿載置面４５の傾斜部分５７になだらかに接続される。第１原稿保持面６５−１は、第１アタッチメント９５−１が本体部９４に取り付けられたときに、第２原稿保持面６６までの距離が所定の距離に等しくなるように、形成されている。【００９４】
第２アタッチメント９５−２は、原稿保持部６１−２と案内部６２−２とを備えている。原稿保持部６１−２は、既述の原稿保持部６１と同様にして、綴じ部保持面６４−２と第１原稿保持面６５−２とが形成されている。案内部６２−２は、既述の案内部６２と同様にして、原稿保持部６１−２に接合され、案内面６７−２が形成されている。綴じ部保持面６４−２と第１原稿保持面６５−２と案内面６７−２とは、それぞれなだらかに形成され、互いになだらかに接続されている。【００９５】
第２アタッチメント９５−２は、さらに、原稿保持部６１−２に取付部９７−２が形成されている。取付部９７−２は、本体部９４の取付部９６に取り付けられることにより、第２アタッチメント９５−２を本体部９４に固定する。綴じ部保持面６４−２は、第２アタッチメント９５−２が本体部９４に取り付けられたときに、原稿載置面４５の傾斜部分５７になだらかに接続される。第１原稿保持面６５−２は、第２アタッチメント９５−２が本体部９４に取り付けられたときに、第２原稿保持面６６までの距離が、第１原稿保持面６５−１から第２原稿保持面６６までの所定の距離より長くなるように、形成されている。すなわち、第２アタッチメント９５−２の長さＬ２は、第１アタッチメント９５−１の長さＬ１より長い。【００９６】
実施例５の画像読取補助装置は、第１アタッチメント９５−１が本体部９４に取り付けられたときに、対象シート７４を本体部９４と透明部材３２との間に配置することにより、対象シート７４を概ね平坦に容易に矯正することができる。実施例５の画像読取補助装置は、複数の非対象シート７５の厚さが厚すぎて適切に保持することができないときに、第２アタッチメント９５−２が本体部９４に取り付けられる。実施例５の画像読取補助装置は、第２アタッチメント９５−２が本体部９４に取り付けられることにより、複数の非対象シート７５の厚さが厚い場合でも、冊子７１を適切に保持することができる。実施例５の画像読取補助装置は、様々な厚さの冊子７１を適切に保持することにより、対象シート７４を本体部９４と透明部材３２との間に配置し、対象シート７４を概ね平坦に容易に矯正することができ、対象シート７４を適切に撮像することができる。
【実施例６】
【００９７】
図２０は、実施例６の画像読取補助装置を示す断面図である。実施例６の画像読取補助装置は、図２０に示されているように、既述の実施例１の画像読取補助装置３の本体部４１と原稿保持部６１とが分離され、スライド機構９９をさらに備えている。スライド機構９９は、原稿保持部６１を移動可能に本体部４１に支持している。スライド機構９９は、ユーザに操作されることにより、原稿保持部６１が本体部４１に対して第１位置または第２位置に配置されるように、原稿保持部６１を本体部４１に固定する。実施例６の画像読取補助装置は、原稿保持部６１が第１位置に配置されているときに、本体部４１に対する原稿保持部６１の位置が、既述の実施例１の画像読取補助装置３における本体部４１に対する原稿保持部６１の位置に等しい。【００９８】
図２１は、原稿保持部６１が第２位置に配置されているときの実施例６の画像読取補助装置を示す断面図である。実施例６の画像読取補助装置は、原稿保持部６１が第２位置に配置されているときに、本体部４１と原稿保持部６１との間の距離が、原稿保持部６１が第１位置に配置されているときの本体部４１と原稿保持部６１との間の距離より大きい。このため、第１原稿保持面６５と第２原稿保持面６６との間の距離は、原稿保持部６１が第２位置に配置されているときに、原稿保持部６１が第１位置に配置されているときより大きい。【００９９】
実施例６の画像読取補助装置は、原稿保持部６１が第１位置に配置されているときに、対象シート７４を本体部４１と透明部材３２との間に配置することにより、対象シート７４を概ね平坦に容易に矯正することができる。実施例６の画像読取補助装置は、複数の非対象シート７５の厚さが厚すぎて適切に保持することができないときに、ユーザにより原稿保持部６１が第２位置に配置される。実施例６の画像読取補助装置は、原稿保持部６１が第２位置に配置されることにより、複数の非対象シート７５の厚さが厚い場合でも、冊子７１を適切に保持することができる。実施例６の画像読取補助装置は、様々な厚さの冊子７１を適切に保持することにより、対象シート７４を本体部４１と透明部材３２との間に配置し、対象シート７４を概ね平坦に容易に矯正することができ、対象シート７４を適切に撮像することができる。【０１００】
なお、既述の画像読取補助装置は、対象シート７４が沿う平面に対して傾斜している他の平面に複数の非対象シート７５が沿うように冊子７１を保持しているが、対象シート７４が沿う平面に複数の非対象シート７５が沿うように冊子７１を保持してもよい。このような画像読取補助装置は、このような冊子７１を保持する場合でも、対象シート７４を本体部４１と透明部材３２との間に配置することにより、対象シート７４を概ね平坦に容易に矯正することができ、対象シート７４を適切に撮像することができる。【０１０１】
なお、既述の画像読取補助装置は、原稿載置面４５に平坦部分５６と傾斜部分５７とが形成されているが、原稿載置面４５に傾斜部分５７が形成されないで、原稿載置面４５が平坦部分５６のみから形成されてもよい。このような画像読取補助装置は、原稿載置面４５に傾斜部分５７が形成されない場合でも、対象シート７４を本体部４１と透明部材３２との間に配置することにより、対象シート７４を概ね平坦に容易に矯正することができる。【０１０２】
なお、既述の画像読取補助装置は、冊子７１のうちの対象シート７４の画像を読み取るときに利用されているが、冊子７１と異なる他の原稿の一部分の画像を読み取るときに利用されてもよい。その原稿としては、１枚の紙から形成される原稿が例示される。このような画像読取補助装置は、このような原稿の一部分を読み取る場合でも、その一部分を本体部４１と透明部材３２との間に配置することにより、その一部分を概ね平坦に容易に矯正することができ、その一部分を適切に撮像することができる。【０１０３】
なお、既述の画像読取補助装置は、案内部６２を備えているが、案内部６２が省略されてもよい。画像読取補助装置は、案内部６２が省略された場合でも、原稿の一部分を本体部４１と透明部材３２との間に配置することにより、その一部分を概ね平坦に容易に矯正することができ、その一部分を適切に撮像することができる。【０１０４】
なお、既述の画像読取補助装置は、読取装置２と着脱可能に形成されているが、読取装置２と一体に形成されてもよい。このような画像読取装置も、原稿の一部分を本体部４１と透明部材３２との間に配置することにより、その一部分を概ね平坦に容易に矯正することができ、その一部分を適切に撮像することができる。
【符号の説明】
【０１０５】
１  ：画像読取装置
２  ：読取装置
３  ：画像読取補助装置
３１：筐体部
３２：透明部材
３３：光源ユニット
３４：第１アタッチメント側光源
３５：第２アタッチメント側光源
４１：本体部
４２：読取装置保持部
４３：透明部材保持部
４５：原稿載置面
５５：原稿挿入口
５６：平坦部分
５７：傾斜部分
６１：原稿保持部
６２：案内部
６４：綴じ部保持面
６５：第１原稿保持面
６６：第２原稿保持面
６７：案内面
８２：コントローラ部
８８：通信部
【図１】
0006653773.tif 000002
【図２】
0006653773.tif 000003
【図３】
0006653773.tif 000004
【図４】
0006653773.tif 000005
【図５】
0006653773.tif 000006
【図６】
0006653773.tif 000007
【図７】
0006653773.tif 000008
【図８】
0006653773.tif 000009
【図９】
0006653773.tif 000010
【図１０】
0006653773.tif 000011
【図１１】
0006653773.tif 000012
【図１２】
0006653773.tif 000013
【図１３】
0006653773.tif 000014
【図１４】
0006653773.tif 000015
【図１５】
0006653773.tif 000016
【図１６】
0006653773.tif 000017
【図１７】
0006653773.tif 000018
【図１８】
0006653773.tif 000019
【図１９】
0006653773.tif 000020
【図２０】
0006653773.tif 000021
【図２１】
0006653773.tif 000022